(57)【特許請求の範囲】
【請求項１】
被写体像をリアルタイムで画像表示部に表示するモードを有する撮像装置であって、
前記画像表示部の表示画面に設定される領域内の画像を拡大して表示させるための拡大指示手段と、
オートフォーカスを指示するＡＦ指示手段と、
前記画像の拡大を解除する拡大解除指示手段と、
前記モード中に前記拡大指示手段の指示を受けた場合、前記領域内の画像を拡大させ、前記ＡＦ指示手段の指示を受けた場合、拡大された前記画像が前記画像表示部に表示されている間に撮影準備動作を行い、前記領域内の画像を拡大して表示させた状態で前記拡大解除指示手段の指示を受けた場合、拡大前の倍率に戻して前記画像を前記画像表示部に表示させるように撮影動作を制御する制御手段と、
前記領域内の画像に係る拡大倍率のデータを記憶する拡大倍率記憶手段と、を備え、
前記制御手段は、前記モード中に前記拡大指示手段の指示を受けて前記領域内の画像を拡大させた時の拡大倍率のデータを前記拡大倍率記憶手段に記憶させておき、前記拡大解除指示手段の操作が解放された時に、前記拡大倍率記憶手段から拡大倍率のデータを読み出して該拡大倍率を前記画像表示部に表示させることを特徴とする撮像装置。
【請求項２】
被写体像をリアルタイムで画像表示部に表示するモードを有する撮像装置であって、
前記画像表示部の表示画面に設定される領域内の画像を拡大して表示させるための拡大指示手段と、
オートフォーカスを指示するＡＦ指示手段と、
前記画像の拡大を解除する拡大解除指示手段と、
前記モード中に前記拡大指示手段の指示を受けた場合、前記領域内の画像を拡大させ、前記ＡＦ指示手段の指示を受けた場合、拡大された前記画像が前記画像表示部に表示されている間に撮影準備動作を行い、前記領域内の画像を拡大して表示させた状態で前記拡大解除指示手段の指示を受けた場合、拡大前の倍率に戻して前記画像を前記画像表示部に表示させるように撮影動作を制御する制御手段と、
前記領域内の画像に係る拡大倍率のデータを記憶する拡大倍率記憶手段と、を備え、
前記制御手段は、前記モード中に前記拡大指示手段の指示を受けて前記領域内の画像を拡大させた時の拡大倍率のデータを前記拡大倍率記憶手段に記憶させておき、撮影が行われて撮影画像が前記画像表示部に再生された後に、前記拡大倍率記憶手段から拡大倍率のデータを読み出して該拡大倍率を前記画像表示部に表示させることを特徴とする撮像装置。
【請求項３】
被写体像をリアルタイムで画像表示部に表示するモードを有する撮像装置であって、
前記画像表示部の表示画面に設定される領域内の画像を拡大して表示させるための拡大指示手段と、
オートフォーカスを指示するＡＦ指示手段と、
前記画像の拡大を解除する拡大解除指示手段と、
前記モード中に前記拡大指示手段の指示を受けた場合、前記領域内の画像を拡大させ、前記ＡＦ指示手段の指示を受けた場合、拡大された前記画像が前記画像表示部に表示されている間に撮影準備動作を行い、前記領域内の画像を拡大して表示させた状態で前記拡大解除指示手段の指示を受けた場合、拡大前の倍率に戻して前記画像を前記画像表示部に表示させるように撮影動作を制御する制御手段と、
第１スイッチ及び第２スイッチを有する操作部材と、を備え、
前記制御手段は、撮影時に前記第１スイッチが操作された場合、その操作指示を撮影準備動作の指示として受け付け、前記モード中に前記拡大解除指示手段として前記第１スイッチが操作された場合、その操作指示を、前記画像の拡大を解除する指示として受け付け、また前記第２スイッチが操作された場合、撮影動作の開始指示を受け付けることを特徴とする撮像装置。
【請求項４】
第１スイッチ及び第２スイッチを有する操作部材をさらに備え、
前記制御手段は、撮影時に前記第１スイッチが操作された場合、その操作指示を撮影準備動作の指示として受け付け、前記モード中に前記拡大解除指示手段として前記第１スイッチが操作された場合、その操作指示を、前記画像の拡大を解除する指示として受け付け、また前記第２スイッチが操作された場合、撮影動作の開始指示を受け付けることを特徴とする請求項１または２に記載の撮像装置。
【請求項５】
被写体像をリアルタイムで画像表示部に表示するモードを有する撮像装置にて実行される制御方法であって、
前記画像表示部の表示画面に設定される領域内の画像を拡大して表示させるための拡大指示手段と、オートフォーカスを指示するＡＦ指示手段と、前記画像の拡大を解除する拡大解除指示手段から指示を受け付けるステップと、
前記モード中に前記拡大指示手段の指示を受けた場合、前記領域内の画像を拡大させ、前記ＡＦ指示手段の指示を受けた場合、拡大された前記画像が前記画像表示部に表示されている間に撮影準備動作を行うステップと、
前記領域内の画像を拡大して表示させた状態で前記拡大解除指示手段の指示を受けた場合、拡大前の倍率に戻して前記画像を前記画像表示部に表示させるステップと、
前記モード中に前記拡大指示手段の指示を受けて前記領域内の画像を拡大させた時の拡大倍率のデータを拡大倍率記憶手段に記憶させておき、前記拡大解除指示手段の操作が解放された時に、前記拡大倍率記憶手段から拡大倍率のデータを読み出して該拡大倍率を前記画像表示部に表示させるステップを有することを特徴とする撮像装置の制御方法。
【請求項６】
被写体像をリアルタイムで画像表示部に表示するモードを有する撮像装置にて実行される制御方法であって、
前記画像表示部の表示画面に設定される領域内の画像を拡大して表示させるための拡大指示手段と、オートフォーカスを指示するＡＦ指示手段と、前記画像の拡大を解除する拡大解除指示手段から指示を受け付けるステップと、
前記モード中に前記拡大指示手段の指示を受けた場合、前記領域内の画像を拡大させ、前記ＡＦ指示手段の指示を受けた場合、拡大された前記画像が前記画像表示部に表示されている間に撮影準備動作を行うステップと、
前記領域内の画像を拡大して表示させた状態で前記拡大解除指示手段の指示を受けた場合、拡大前の倍率に戻して前記画像を前記画像表示部に表示させるステップと、
前記モード中に前記拡大指示手段の指示を受けて前記領域内の画像を拡大させた時の拡大倍率のデータを拡大倍率記憶手段に記憶させておき、撮影が行われて撮影画像が前記画像表示部に再生された後に、前記拡大倍率記憶手段から拡大倍率のデータを読み出して該拡大倍率を前記画像表示部に表示させるステップを有することを特徴とする撮像装置の制御方法。
【請求項７】
第１スイッチ及び第２スイッチを有する操作部材を備え、被写体像をリアルタイムで画像表示部に表示するモードを有する撮像装置にて実行される制御方法であって、
前記画像表示部の表示画面に設定される領域内の画像を拡大して表示させるための拡大指示手段と、オートフォーカスを指示するＡＦ指示手段と、前記画像の拡大を解除する拡大解除指示手段から指示を受け付ける際、撮影時に前記第１スイッチが操作された場合、その操作指示を撮影準備動作の指示として受け付け、前記モード中に前記拡大解除指示手段として前記第１スイッチが操作された場合、その操作指示を、前記画像の拡大を解除する指示として受け付け、また前記第２スイッチが操作された場合、撮影動作の開始指示を受け付けるステップと、
前記モード中に前記拡大指示手段の指示を受けた場合、前記領域内の画像を拡大させ、前記ＡＦ指示手段の指示を受けた場合、拡大された前記画像が前記画像表示部に表示されている間に撮影準備動作を行うステップと、
前記領域内の画像を拡大して表示させた状態で前記第１スイッチの指示を受けた場合、拡大前の倍率に戻して前記画像を前記画像表示部に表示させるステップと、を有することを特徴とする撮像装置の制御方法。
【発明の詳細な説明】
【技術分野】
【０００１】
本発明は、全体の構図と拡大画像とを適切なタイミングで確認できる撮像装置とその制御方法に関する。
【背景技術】
【０００２】
デジタルカメラ等の、撮像機能をもつ携帯電子機器では、撮影レンズで被写体の光を集めてＣＣＤ等の撮像素子に結像させ、記録媒体に画像データを保存し、記録した画像データを再生して画像表示部に表示する。また、一部のデジタルカメラは、被写体像をリアルタイムで画像表示部に表示する、いわゆるライブビュー撮影モードを有する。撮影者は光学ファインダを具備しないデジタルカメラでも画像表示部を用いて、構図を確認しながら撮影できる。この時、撮影者は事前に設定した表示枠内の画像を拡大し、被写体にピントがきちんと合っているか否かについて、表示画像を見ながら確認する事もできる。
【０００３】
従来、ライブビュー撮影モード中に拡大指示ボタンが押された場合、フォーカス位置に相当する部分を自動的に選択して拡大する処理が知られている（特許文献１参照）。また、撮影者がデジタルカメラのシャッターボタンを半押しすると、撮影者が予め設定した表示枠内の画像を拡大し、拡大表示エリアに表示する処理が知られている（特許文献２参照）。
【先行技術文献】
【特許文献】
【０００４】
【特許文献１】特開２００３−１７９７９８号公報
【特許文献２】特開平１１−１９６３０１号公報
【発明の概要】
【発明が解決しようとする課題】
【０００５】
従来の技術では、撮影前の構図確認や、全体の構図と拡大画像の確認について以下の課題があった。
特許文献１に開示の装置では、撮影者がライブビュー撮影モード時に拡大指示ボタンを押し、画像表示部の画像が拡大されたままの状態でシャッターボタンを押すと、撮影後のクイックレビューにおいて、標準倍率の画像が表示されてしまう。このため、撮影前後で整合がとれず、撮影者が撮影前の構図を容易に確認できないという問題がある。
【０００６】
特許文献２に開示の装置では、撮影者がシャッターボタンを半押ししながら拡大解除指示ボタンを押す事により、撮影前の構図を確認可能になる。しかし、再び拡大画像を表示させるためには、撮影者がシャッターボタンの半押し状態を一旦解除してから、再びシャッターボタンの半押し操作を要するので、その分の手間が必要であった。また、拡大解除指示ボタンを専用に設けているため、操作部材が増え、設置スペースが必要になるという問題もあった。また、シャッターボタンの半押しによって、拡大画像を表示させると同時にオートフォーカスも駆動させなければならないといった課題もあった。
【０００７】
そこで本発明は、撮影前の構図確認の際、撮影者が全体の構図と拡大画像とを適切なタイミングで確認できるようにすることを目的とする。
【課題を解決するための手段】
【０００８】
上記課題を解決するために本発明の第１の側面に係る装置は、被写体像をリアルタイムで画像表示部に表示するモードを有する撮像装置であって、前記画像表示部の表示画面に設定される領域内の画像を拡大して表示させるための拡大指示手段と、オートフォーカスを指示するＡＦ指示手段と、前記画像の拡大を解除する拡大解除指示手段と、前記モード中に前記拡大指示手段の指示を受けた場合、前記領域内の画像を拡大させ、前記ＡＦ指示手段の指示を受けた場合、拡大された前記画像が前記画像表示部に表示されている間に撮影準備動作を行い、前記領域内の画像を拡大して表示させた状態で前記拡大解除指示手段の指示を受けた場合、拡大前の倍率に戻して前記画像を前記画像表示部に表示させるように撮影動作を制御する制御手段と、前記領域内の画像に係る拡大倍率のデータを記憶する拡大倍率記憶手段と、を備える。前記制御手段は、前記モード中に前記拡大指示手段の指示を受けて前記領域内の画像を拡大させた時の拡大倍率のデータを前記拡大倍率記憶手段に記憶させておき、前記拡大解除指示手段の操作が解放された時に、前記拡大倍率記憶手段から拡大倍率のデータを読み出して該拡大倍率を前記画像表示部に表示させる。
本発明の第２の側面に係る装置は、被写体像をリアルタイムで画像表示部に表示するモードを有する撮像装置であって、前記画像表示部の表示画面に設定される領域内の画像を拡大して表示させるための拡大指示手段と、オートフォーカスを指示するＡＦ指示手段と、前記画像の拡大を解除する拡大解除指示手段と、前記モード中に前記拡大指示手段の指示を受けた場合、前記領域内の画像を拡大させ、前記ＡＦ指示手段の指示を受けた場合、拡大された前記画像が前記画像表示部に表示されている間に撮影準備動作を行い、前記領域内の画像を拡大して表示させた状態で前記拡大解除指示手段の指示を受けた場合、拡大前の倍率に戻して前記画像を前記画像表示部に表示させるように撮影動作を制御する制御手段と、前記領域内の画像に係る拡大倍率のデータを記憶する拡大倍率記憶手段と、を備える。前記制御手段は、前記モード中に前記拡大指示手段の指示を受けて前記領域内の画像を拡大させた時の拡大倍率のデータを前記拡大倍率記憶手段に記憶させておき、撮影が行われて撮影画像が前記画像表示部に再生された後に、前記拡大倍率記憶手段から拡大倍率のデータを読み出して該拡大倍率を前記画像表示部に表示させる。
本発明の第３の側面に係る装置は、被写体像をリアルタイムで画像表示部に表示するモードを有する撮像装置であって、前記画像表示部の表示画面に設定される領域内の画像を拡大して表示させるための拡大指示手段と、オートフォーカスを指示するＡＦ指示手段と、前記画像の拡大を解除する拡大解除指示手段と、前記モード中に前記拡大指示手段の指示を受けた場合、前記領域内の画像を拡大させ、前記ＡＦ指示手段の指示を受けた場合、拡大された前記画像が前記画像表示部に表示されている間に撮影準備動作を行い、前記領域内の画像を拡大して表示させた状態で前記拡大解除指示手段の指示を受けた場合、拡大前の倍率に戻して前記画像を前記画像表示部に表示させるように撮影動作を制御する制御手段と、第１スイッチ及び第２スイッチを有する操作部材と、を備える。前記制御手段は、撮影時に前記第１スイッチが操作された場合、その操作指示を撮影準備動作の指示として受け付け、前記モード中に前記拡大解除指示手段として前記第１スイッチが操作された場合、その操作指示を、前記画像の拡大を解除する指示として受け付け、また前記第２スイッチが操作された場合、撮影動作の開始指示を受け付ける。
【発明の効果】
【０００９】
本発明によれば、撮影者は全体の構図と拡大画像とを適切なタイミングで確認できる。
【図面の簡単な説明】
【００１０】
【図１】図２乃至５と併せて本発明に係る実施形態を説明するために、デジタルカメラへの適用例を示す概略的な断面図である。
【図２】デジタルカメラの背面斜視図である。
【図３】デジタルカメラの構成例を示すブロック図である。
【図４】デジタルカメラの動作例を示すフローチャートである。
【図５】画像表示部の表示例を示す図である。
【発明を実施するための形態】
【００１１】
図１は、本発明をデジタルカメラ１０に適用した実施形態の一例を示す縦断面図である。図１（ａ）は、通常撮影モード時のカメラ状態を示し、光路を１点鎖線で示している。撮影レンズ１１は被写体からの光を集め、ミラー１２で反射した光は、ペンタプリズム１３によって光学ファインダ１４に導かれる。撮影者は光学ファインダ１４を覗いて、構図を確認しながら撮影する。また、シャッターボタンの押下によって撮影動作が開始し、ミラー１２が光軸外に退避すると同時に電子幕１５が開放し、被写体からの光が撮像素子１６に結像し、後述の記録媒体に画像データが保存される。図１（ｂ）は、ライブビュー撮影モード時のカメラ状態を示す。ライブビュー撮影モード時には、ミラー１２が光軸から外れた位置に退避し、電子幕１５が開放し続ける。１点鎖線の光路で示すように、被写体からの光は撮像素子１６に到達し、該素子は常に光を電気信号へと変換するので、リアルタイムで画像表示が可能である。光学ファインダ１４を備えていないデジタルカメラ１０でも画像をリアルタイムで表示し続ける事によって、撮影者は被写体像を確認できる。
【００１２】
図２は、デジタルカメラ１０を背面から見た概略的な斜視図を示す。画像表示部２４は、画像や各種情報を表示し、ライブビュー撮影モード時におけるリアルタイム表示や撮影後の画像を再生表示する際に用いる。
【００１３】
以下、各操作ボタンについて簡単に説明する。画像表示部２４の左側に位置する電源ボタン６４は、カメラ本体の電源のＯＮ（投入）／ＯＦＦ（遮断）を指示するボタンである。その上にある画像再生ボタン５８は、後述の画像表示メモリに記憶したデータを読み出し、画像表示部２４に画像の表示を指示するボタンである。さらに上方にあるライブビューボタン５３は、ライブビュー撮影モードの開始を指示するためのボタンであり、撮影者は該ボタンを押すことによって通常撮影モードとライブビュー撮影モードを切り替える事ができる。
【００１４】
カメラ筐体の上面に設けられたシャッターボタン５０は２段スイッチの構成を有するシャッター部材（シャッターレリーズ操作部材）であり、撮影時やライブビュー撮影モード時に操作される。通常撮影モードでは、シャッターボタン５０の半押し操作で第１スイッチ（これをＳＷ１と記す）がオン状態となり、撮影準備動作の指示が行われる。撮影者がシャッターボタン５０をさらに押し込んだ全押し操作で第２スイッチ（これをＳＷ２と記す）がオン状態となり、撮影動作の開始指示が行われる。ライブビュー撮影モードでは、ＳＷ１が拡大解除指示ボタンとして機能し、ＳＷ２は撮影動作の開始を後述のシステム制御回路に指示する。
【００１５】
画像表示部２４の右側に位置するＡＦ指示ボタン５４は、ＡＦ（オートフォーカス）制御を指示するボタンであり、撮影者は通常撮影モード時とライブビュー撮影モード時の両方で使用できる。その下にある表示枠移動ボタン５６は、ライブビュー撮影モード中に、後述の表示枠を画像表示部２４の表示画面上で移動させるための操作部である。本例では表示枠を移動させる操作指示手段として、上下左右の４方向について移動操作が可能であるが、これに限らず、８方向の移動操作手段やタッチパネル等、他の指示手段や選択手段を用いても構わない。ＡＦ指示ボタン５４の右横にある拡大指示ボタン５５は、ライブビュー撮影モード時に表示枠移動ボタン５６によって移動操作がなされた表示枠内の画像の拡大を指示するボタンである。
【００１６】
図３はデジタルカメラ１０の構成例を示すブロック図である。被写体からの光は撮影レンズ１１を介して撮像素子１６に結像して電気信号に変換される。撮像素子１６の手前には、当該素子に導かれる光量を調整する電子幕１５が設けられている。Ａ／Ｄ変換器２０は、撮像素子１６のアナログ出力信号をディジタル信号に変換する。画像処理回路２２は、Ａ／Ｄ変換器２０からのデータ、又はメモリ制御回路２３からのデータに対して所定の画素補間処理や色変換処理を行う。画像処理回路２２は、撮像した画像データを用いて所定の演算処理を行い、得られた演算結果をシステム制御回路４０に送り、これによりＡＦ処理、ＡＥ（自動露出）処理、ＡＷＢ（オートホワイトバランス）処理が行われる。
【００１７】
メモリ制御回路２３は、Ａ／Ｄ変換器２０、画像処理回路２２、画像表示メモリ３２、Ｄ／Ａ変換器２１、メモリ３０、及び拡大倍率記憶回路３１を制御する。Ａ／Ｄ変換器２０からのデータは、画像処理回路２２及びメモリ制御回路２３を介して画像表示メモリ３２やメモリ３０に書き込まれ、或いはメモリ制御回路２３を介して画像表示メモリ３２やメモリ３０に書き込まれる。
【００１８】
画像表示部２４には表示デバイス（ＴＦＴ・ＬＣＤ等）が用いられ、画像表示メモリ３２に書き込まれた表示用の画像データは、Ｄ／Ａ変換器２１を介して画像表示部２４に出力されて画像表示される。メモリ３０は、撮影した静止画像や動画像のデータを格納し、所定枚数の静止画像データや所定時間分の動画像データを格納するのに十分な記憶容量をもつ。これにより、デジタルカメラ１０は、複数枚の静止画像を連続して撮影する連射撮影やパノラマ撮影の場合にも、メモリ３０に対して大量の画像データを高速に書き込み可能である。
【００１９】
露光制御部３４は絞り機能を備える電子幕１５を制御し、また焦点調節制御部３５は撮影レンズ１１のフォーカシングを制御する。本例ではＴＴＬ（Through The Lens）方式が採用され、システム制御回路４０は、撮像した画像データを画像処理回路２２によって演算した演算結果に基づき、露光制御部３４、焦点調節制御部３５に対して制御指令を出す。
【００２０】
システム制御回路４０はデジタルカメラ１０全体を制御する。システム制御回路４０を構成するＣＰＵ等の演算処理装置は、不揮発性メモリ４１に記臆されたプログラムを解釈して実行することで、以下に説明する各処理を実現する。表示部４２は、システム制御回路４０で実行されるプログラムに従って、文字若しくは画像により、又はこれらを音声とともに出力することにより動作状態やメッセージ等を提示する。表示部４２はまた、ライブビュー中の表示枠（図２、図５（ａ）の符号４３参照）を表示する。
【００２１】
符号５０、５３乃至５６、５８に示す前述の操作ボタン又は操作部と、クイックレビュースイッチ５７は、システム制御回路４０に各種の動作を指示する操作指示手段であり、以下、それらの具体的な説明を行う。
【００２２】
シャッターボタン５０の第１スイッチＳＷ１は、シャッターボタン５０の半押し操作でオン状態となり、ＡＦ処理、ＡＥ処理、ＡＷＢ処理等の動作開始をシステム制御回路４０に指示する。第２スイッチＳＷ２は、シャッターボタン５０の全押し操作でオン状態となる。これにより、撮像素子１６から読み出した画素信号を、Ａ／Ｄ変換器２０、メモリ制御回路２３を介してメモリ３０に画像データとして書き込む露光処理の動作開始がシステム制御回路４０に指示される。同時に、現像処理とこれに続く画像記録といった一連の処理の開始が指示される。なお現像処理は、画像処理回路２２やメモリ制御回路２３での演算により行われ、画像記録処理は、メモリ３０から画像データを読み出し、圧縮伸長回路３３で圧縮を行い、後述の記録媒体８０に画像データを書き込むことで行われる。
【００２３】
ライブビューボタン５３は、通常撮影モードとライブビュー撮影モードを切り替えるための信号をシステム制御回路４０に送る。ＡＦ指示ボタン５４は、ＡＦ処理、ＡＥ処理、ＡＷＢ処理等の動作を開始させる指示信号をシステム制御回路４０に送る。ＡＦ指示ボタン５４は通常撮影モード時とライブビュー撮影モード時の両方で使用でき、モードに応じた指示をシステム制御回路４０に出す。
【００２４】
拡大指示ボタン５５は、図２、図５（ａ）に示す表示枠４３の領域を拡大するための指示信号をシステム制御回路４０に送る。拡大解除指示ボタンの機能は、ライブビュー撮影モードにおいてシャッターボタン５０の第１スイッチＳＷ１に割り当てられている。ライブビュー撮影モード時にＳＷ１が押された場合、撮影準備動作は開始されず、拡大倍率の解除指示がシステム制御回路４０に送られ、標準倍率制御部４４は標準倍率で画像を表示させるように制御する。
【００２５】
表示枠移動ボタン５６は、ライブビュー撮影モード中に表示枠を画像表示部２４の画面上で移動させる指示信号をシステム制御回路４０に送る。クイックレビュースイッチ５７は、クイックレビューのＯＮ／ＯＦＦスイッチであり、撮影者は該スイッチを操作して、撮影直後に撮影した画像データを自動的に再生するクイックレビュー機能を設定することができる。画像再生ボタン５８は、画像表示メモリ３２に記憶したデータを読み出し、画像表示部２４に対して画像を表示させるための指示信号をシステム制御回路４０に送る。電源ボタン６４は、カメラ本体の電源投入又は遮断を指示する信号をシステム制御回路４０に送る。
【００２６】
電源制御部６０は、電池の装着の有無、電池の種類、電池残量等を検出し、検出結果及びシステム制御回路４０の指示に基づいて、必要な電圧を必要な期間、記録媒体８０を含む各部へ供給する。コネクタ６１、６２を介して電源制御部６０に接続される電源６３には、一次電池若しくは二次電池、又はＡＣアダプター等が使用される。
【００２７】
インターフェース部７０はメモリカードやハードディスク等の記録媒体８０とデジタルカメラ１０との間で行われる情報の送受信を仲介する。コネクタ７１には記録媒体８０が接続される。記録媒体着脱検知部７４は、コネクタ７１に記録媒体８０が装着されているか否かを検知してシステム制御回路４０に通知する。なお、記録媒体８０を取り付けるインターフェース部及びコネクタは１系統に限らず、系統数をさらに増やした構成でも構わないし、また、異なる規格のインターフェース部及びコネクタを組み合わせた構成にしても構わない。さらには、コネクタ７１に各種通信カードを接続することにより、他機器との間で画像データや画像データに付随する管理情報を転送し合うことも出来る。
記録媒体８０は、半導体メモリや磁気ディスク等で構成される記録部７５、デジタルカメラ１０とのインターフェース部７２、及びデジタルカメラ１０に接続するコネクタ７３を備える。
【００２８】
次に、図４のフローチャートを用いて、デジタルカメラ１０の動作について説明する。Ｓ００１にてライブビューボタン５３が押されると、システム制御回路４０はモードをライブビュー撮影モードに設定する。このモードでは、ミラー１２が光軸から外れた位置に退避し、電子幕１５が開放し続け、撮像素子１６が常に光を電気信号へと変換することにより、画像表示部２４にリアルタイムで画像が表示される。Ｓ００２では、拡大指示ボタン５５が何回押されたかを計数するためのカウント変数（これをｉと記す）が初期化され、ｉ値に初期値ゼロが設定される。Ｓ００３でシステム制御回路４０は、表示枠４３の移動指示の有無を判定する。表示枠４３の移動指示があったと判定された場合、Ｓ００４へ進み、表示枠４３が移動した後でＳ００３へ戻る。また表示枠４３の移動指示がない場合、Ｓ００５へ進む。
【００２９】
Ｓ００５でシステム制御回路４０は、拡大指示ボタン５５が押されたか否かを判定する。拡大指示ボタン５５が押されていない場合、Ｓ００８へ進み、拡大指示ボタン５５が押された場合にはＳ００６へ進む。Ｓ００６では、拡大指示ボタン５５の操作回数に係るインクリメント処理が行われ、カウント変数ｉの値が１だけ加算される（ｉ＝ｉ＋１）。次のＳ００７でシステム制御回路４０は、拡大倍率を１段階上げて画像を拡大するように制御する。Ｓ００８でシステム制御回路４０は、ＡＦ指示ボタン５４の操作判定を行い、ＡＦ指示ボタン５４が押された場合、Ｓ００９へ進み、該ボタンが押されなかった場合にはＳ０１０に進む。
【００３０】
Ｓ００９でシステム制御回路４０はＡＦ駆動を開始させ、ＡＥ処理、ＡＷＢ処理等の撮影準備動作の開始を各部に指示する。Ｓ０１０は拡大指示ボタン５５が押されたか否かの判定処理であり、拡大指示ボタン５５が押されていない場合は、Ｓ０１１へ進み、拡大指示ボタン５５が押された場合、Ｓ００６へ戻る。本例では、拡大倍率を複数段階に亘って設定可能な形態を説明するが、これに限らず拡大倍率を一段のみとしてもよい。
【００３１】
Ｓ０１１でシステム制御回路４０は、シャッターボタン５０の操作によりＳＷ１がオン状態になったか否かを判定する。ＳＷ１がオフ状態の場合、Ｓ００８へ戻り、ＳＷ１がオン状態の場合、Ｓ０１２へ進む。
【００３２】
Ｓ０１２でシステム制御回路４０は、シャッターボタン５０の操作によりＳＷ１がオン状態となった時の拡大倍率を算出する。ここでは、拡大指示ボタン５５がＳ０１２の時点までの間に何回押されたかの算出方法について説明する。例えば、画像表示部２４に表示されている標準倍率の画像について、拡大指示ボタン５５が１回押されると、図５（ａ）に示す表示枠４３内の領域が標準倍率画像と比較して５倍に拡大されて画像が表示される。拡大指示ボタン５５が２回押されると、表示枠４３の領域が標準倍率画像と比較して１０倍に拡大され、拡大指示ボタン５５が３回押されると標準倍率画像に戻る。それ以降は同様の動作を繰り返すプログラム処理を想定すると、拡大指示ボタン５５が押された回数は前記カウント変数ｉで表されるので、自然数変数をｎ（＝１、２、３・・・）とした場合、拡大倍率は以下のようになる。
【００３３】
・ｉ＝３ｎ−３のとき、拡大倍率１（標準倍率画像）。
・ｉ＝３ｎ−２のとき、拡大倍率５（５倍拡大画像）。
・ｉ＝３ｎ−１のとき、拡大倍率１０（１０倍拡大画像）。
【００３４】
システム制御回路４０は演算処理によって拡大倍率を求め、拡大倍率のデータを拡大倍率記憶回路３１に記憶する。
Ｓ０１３でシステム制御回路４０は、画像表示部２４が表示する画像を拡大前の倍率での画像、本例では標準倍率画像に戻す。これにより、撮影者は撮影前に画像表示部２４の表示によって構図を確認できる。次のＳ０１４でシステム制御回路４０は、シャッターボタン５０の操作によりＳＷ２がオン状態になったか否かを判定する。ＳＷ２がオン状態の場合、Ｓ０１６に進み、ＳＷ２がオフ状態の場合、Ｓ０１５に進む。
【００３５】
Ｓ０１６でシステム制御回路４０は撮影の動作開始を各部に指示し、撮影処理を実行する。Ｓ０１７では、撮影画像が画像表示部２４にクイックレビューとして表示される。画像表示部２４がクイックレビューで撮影画像を表示することによって、撮影者は構図の確認や、ピントずれがないことの確認が可能となる。そしてＳ０１８に進む。
【００３６】
Ｓ０１５でシステム制御回路４０はＳＷ１がオン状態を維持しているか否かを判定する。ＳＷ１がオン状態のままである場合、Ｓ０１４に戻ってＳＷ２の状態監視を続行する。また、シャッターボタン５０の解放によりＳＷ１がオフ状態になった場合、Ｓ０１８に進む。ここでシステム制御回路４０は、前記Ｓ０１２で拡大倍率記憶回路３１に記憶しておいた拡大倍率を示すデータを読み出す。その後、Ｓ０１９に進み、読み出した拡大倍率を示すデータに基づいて、画像表示部２４は拡大倍率を表示した上で、Ｓ００８に戻る。本動作は、例えば前記Ｓ０１５からＳ０１８を経てＳ０１９に到達する状況において、撮影者がＳＷ２のオン操作により撮影を開始させる前に、誤って不図示のフォーカスリングに触れてしまった場合に意味をもつ。撮影者の指がシャッターボタン５０から離れてＳＷ１がオフ状態となった場合、画像表示部２４には拡大画像が表示されるため、撮影者はピント合わせを容易に行える。また、前記Ｓ０１７からＳ０１８を経てＳ０１９に到達する状況では、撮影後に画像表示部２４は撮影した際の倍率画像を表示している。このため、同じ構図でピントが合っているか否かだけを撮影者が確認して撮影したい場合に、拡大指示ボタン５５を撮影毎に押す必要はなく、撮影後にＳ０１９からＳ００８に戻る。
【００３７】
図５は、図４のフローチャートに示す処理に従い、撮影者が各種ボタンによってシステム制御回路４０へ指示した時の画像表示部２４の表示例を示す。まず、ライブビュー撮影モード中に、撮影者はピントを合わせたい部分に表示枠４３を移動させる操作を行う。これは、撮影者が表示枠移動ボタン５６を用いてシステム制御回路４０に所望の方向を指示することで行われ、操作指示に従って、画像表示部２４に表示されている表示枠４３が移動する（図５（ａ）参照）。次に、撮影者はフォーカスエリア周辺でピントがきちんと合っているか否かを確認するため、拡大指示ボタン５５を操作し、表示枠４３の領域内の画像を拡大する（図５（ｂ）参照）。画像表示部２４にて画像の拡大表示処理が行われている間でも、撮影者はＡＦ指示ボタン５４の操作により、拡大画面を表示させたままでＡＦ駆動により、ピント合わせを行える。合焦設定がＡＦではなくＭＦ（マニュアルフォーカス）に選択されている場合には、不図示のフォーカスリングを用いた手動操作でピント合わせが可能である。いずれの場合でも合焦した拡大画像が画像表示部２４に表示される（図５（ｃ）参照）。
【００３８】
通常撮影モード中にシャッターボタン５０が押されてＳＷ１がオン状態になった場合、該操作は撮影準備動作の開始指示を意味するが、ライブビュー撮影モード時においては撮影準備動作の開始指示は行われず、別の操作指示を意味する。すなわち、画像表示部２４に表示されている拡大中の画像についての拡大表示処理が解除され、標準倍率で画像が表示される（図５（ｄ）参照）。このように撮影者はＳＷ１のオン操作によって、撮影前に構図を確認してから撮影を開始することができる。ライブビュー撮影モードにおいて、ＡＦの指示はシャッターボタン５０のＳＷ１ではなく、ＡＦ指示ボタン５４が操作された場合に、撮影準備動作開始の指示をシステム制御回路４０が受け付ける。この状態でシャッターボタン５０がさらに操作されてＳＷ２がオン状態になった場合には、システム制御回路４０が撮影動作を開始させる（図５（ｅ）参照）。図５（ｄ）の状態で撮影者の指がシャッターボタン５０から離れてＳＷ１がオフ状態になった場合には、システム制御回路４０が、ＳＷ１のオン操作時の拡大倍率のデータを拡大倍率記憶回路３１から読み出す。画像表示部２４は、当該拡大倍率で画像を表示させる（図５（ｃ）参照）。この動作により、撮影者は構図の確認中、誤ってフォーカスリングに触れてしまった場合でも、ＳＷ１のオフ操作によって、画像表示部２４に拡大画像が表示されるので、合焦状態の再確認を容易に行える。
【００３９】
本実施形態によれば、ライブビュー撮影モードにて拡大画像を表示している場合、ＡＦ指示ボタン５４によってフォーカスエリアを合焦させた後に、拡大解除指示ボタンで標準倍率画像を表示させることで、撮影者は構図を確認した後に撮影を開始できる。この拡大解除指示ボタンは、シャッターボタン５０の第１スイッチＳＷ１に割り当てられているので、拡大解除専用の操作部材は不要であり、低コスト化に寄与する。撮影者は一連の操作感覚で撮影前の構図を確認でき、全体の構図と拡大画像とを適切なタイミングで確認できるという効果が得られる。
【符号の説明】
【００４０】
１０  デジタルカメラ
２４  画像表示部
３１  拡大倍率記憶回路
４０  システム制御回路
５０  シャッターボタン
ＳＷ１  第１スイッチ
ＳＷ２  第２スイッチ
５３  ライブビューボタン
５４  ＡＦ指示ボタン
５５  拡大指示ボタン
【図１】
0005538992.tif 000002
【図２】
0005538992.tif 000003
【図３】
0005538992.tif 000004
【図４】
0005538992.tif 000005
【図５】
0005538992.tif 000006